(57)【要約】【課題】高輝度のプロジェクタに好適に用いることのできる照明装置であって、複数のＬＤ光源のうちいずれのＬＤ光源の発光が弱まったとしても、被照明領域における面内光強度分布が不均一になることを抑制するとともに投写画像の品質が劣化することを抑制することが可能な照明装置を提供する。【解決手段】第１の光軸１０ａｘを中心軸とする照明光束を射出する第１のＬＤ光源１０と、第２の光軸２０ａｘを中心軸とする照明光束を射出する第２のＬＤ光源２０と、第１のＬＤ光源１０からの光を透過し第２のＬＤ光源２０から光を反射する偏光合成面３２を有し、第１のＬＤ光源１０からの光と第２のＬＤ光源２０からの光とを合成して射出する偏光ビームコンバイナ３０とを備える照明装置１００。第１のＬＤ光源１０は、Ｐ偏光成分に係る光を射出するように構成され、第２のＬＤ光源２０は、Ｓ偏光成分に係る光を射出するように構成されている。【選択図】図２
2008003125.tif 000002
【特許請求の範囲】
【請求項１】
第１の光軸を中心軸とする照明光束を射出する第１のＬＤ光源と、
第２の光軸を中心軸とする照明光束を射出する第２のＬＤ光源と、
前記第１のＬＤ光源からの光を透過し前記第２のＬＤ光源から光を反射する偏光合成面を有し、前記第１のＬＤ光源からの光と前記第２のＬＤ光源からの光とを合成して射出する偏光ビームコンバイナとを備え、
前記第１のＬＤ光源は、前記偏光合成面の法線と前記第１の光軸とを含む仮想平面に対して平行な方向に偏光軸を有する光を射出するように構成され、
前記第２のＬＤ光源は、前記偏光合成面の法線と前記第２の光軸とを含む仮想平面に対して垂直な方向に偏光軸を有する光を射出するように構成されていることを特徴とする照明装置。
【請求項２】
請求項１に記載の照明装置において、
前記偏光ビームコンバイナよりも光路後段に配置され、前記偏光ビームコンバイナからの照明光束をより均一な強度分布を有する光に変換するインテグレータ光学系をさらに備えることを特徴とする照明装置。
【請求項３】
請求項２に記載の照明装置において、
前記インテグレータ光学系は、
前記偏光ビームコンバイナからの照明光束を集束光に変換して射出する集光レンズと、
前記集光レンズからの照明光束をより均一な強度分布を有する光に変換するインテグレータロッドとを有することを特徴とする照明装置。
【請求項４】
請求項２に記載の照明装置において、
前記インテグレータ光学系は、
前記偏光ビームコンバイナからの照明光束を複数の部分光束に分割する複数の第１小レンズを有する第１レンズアレイと、
前記第１レンズアレイの各第１小レンズに対応する第２小レンズを有する第２レンズアレイと、
前記第２レンズアレイからの光を被照明領域で重畳させる重畳レンズとを有することを特徴とする照明装置。
【請求項５】
請求項２に記載の照明装置において、
前記インテグレータ光学系は、
前記偏光ビームコンバイナからの照明光束をより均一な強度分布を有する光に変換する円錐プリズムを有することを特徴とする照明装置。
【請求項６】
請求項５に記載の照明装置において、
前記インテグレータ光学系は、
前記円錐プリズムの光射出側に配置され、前記円錐プリズムからの照明光束をさらに均一な強度分布を有する光に変換する導光部材をさらに有することを特徴とする照明装置。
【請求項７】
請求項１〜６のいずれかに記載の照明装置において、
前記偏光ビームコンバイナは、プリズムタイプの偏光ビームコンバイナであり、
前記偏光ビームコンバイナに配設され、前記偏光ビームコンバイナに対して超音波からなる音響波を供給することにより前記偏光ビームコンバイナに定在波を形成する音響波供給装置と、
前記定在波の周期が６０Ｈｚ以上の周波数で変調されるように前記音響波供給装置を制御する制御装置とをさらに備えることを特徴とする照明装置。
【請求項８】
請求項７に記載の照明装置において、
前記音響波供給装置は、前記偏光ビームコンバイナに対して密着して配設されていることを特徴とする照明装置。
【請求項９】
請求項７に記載の照明装置において、
前記音響波供給装置は、前記偏光ビームコンバイナの媒質の屈折率よりも小さな屈折率を有する超音波良伝達物質を介して前記偏光ビームコンバイナに配設されていることを特徴とする照明装置。
【請求項１０】
請求項１〜９のいずれかに記載の照明装置と、
前記照明装置からの光を画像情報に応じて変調する電気光学変調装置と、
前記電気光学変調装置により変調された光を投写する投写光学系とを備えることを特徴とするプロジェクタ。
【請求項１１】
請求項１０に記載のプロジェクタにおいて、
前記照明装置として、複数の色光を射出する複数の照明装置を備え、
前記複数の照明装置と前記電気光学変調装置との間に配置され、前記複数の照明装置から射出される複数の色光の光路を合成して前記電気光学変調装置に向けて射出するクロスダイクロイックプリズムをさらに備えることを特徴とするプロジェクタ。
【請求項１２】
請求項１０に記載のプロジェクタにおいて、
前記照明装置として、複数の色光を射出する複数の照明装置を備え、
前記電気光学変調装置として、前記複数の照明装置からの光を画像情報に応じてそれぞれ変調する複数の電気光学変調装置を備え、
前記複数の電気光学変調装置から射出される複数の色光を合成するクロスダイクロイックプリズムをさらに備えることを特徴とするプロジェクタ。
【発明の詳細な説明】
【技術分野】
【０００１】
本発明は、照明装置及びプロジェクタに関する。
【背景技術】
【０００２】
従来より高輝度のプロジェクタが求められており、その要求に応えるものとして２つの光源ランプからの光を三角プリズムで合成する構成を有するプロジェクタ（以下、従来のプロジェクタという。）が提案されている（例えば、特許文献１参照。）。
【０００３】
このような従来のプロジェクタによれば、照明装置として、２つの光源ランプを有する照明装置を用いているため、従来より高輝度のプロジェクタを構成することができる。
【０００４】
【特許文献１】特開２００２−７２０８３号公報（図４）
【発明の開示】
【発明が解決しようとする課題】
【０００５】
ところで、従来のプロジェクタをよりコンパクトなものとするため、従来のプロジェクタの構成を元に、２つの光源ランプに代えて２つのＬＤ光源を用いることが考えられる。このような２つのＬＤ光源を用いたプロジェクタは、高輝度でありながらコンパクトなプロジェクタとなる。
【０００６】
しかしながら、この場合には、２つのＬＤ光源のうちいずれかのＬＤ光源の発光が弱まると、被照明領域における照度が低下してしまい、投写画像の明るさが低下するという問題がある。また、２つのＬＤ光源のうちいずれかのＬＤ光源の発光が弱まると、被照明領域における面内光強度分布が不均一になってしまい、投写画像の品質が劣化するという問題がある。
【０００７】
そこで、本発明は、上記した２つの問題のうち、後者の問題を解決するためになされたもので、高輝度のプロジェクタに好適に用いることのできる照明装置であって、複数のＬＤ光源のうちいずれのＬＤ光源の発光が弱まったとしても、被照明領域における面内光強度分布が不均一になることを抑制するとともに投写画像の品質が劣化することを抑制することが可能な照明装置を提供することを目的とする。また、本発明は、このような照明装置を備えたプロジェクタを提供することを目的とする。
【課題を解決するための手段】
【０００８】
本発明者は、上記目的を達成するため、２つのＬＤ光源を用いたプロジェクタにおいて、２つのＬＤ光源のうち一方のＬＤ光源の発光が弱まると、被照明領域における面内光強度分布が不均一になる原因を徹底的に調査した。その結果、その原因は、２つのＬＤ光源からの照明光束が所定の角度をもって三角プリズムで合成されるために、２つのＬＤ光源からの照明光束が、被照明領域では同じ照明範囲で重畳されているが同じ角度をもって重畳されていないことに起因することが判明した。本発明者は、この知見に基づき、２つのＬＤ光源からの照明光束が同じ角度をもって重畳されるようにすると、上記問題を解決することができることに想到し、本発明を完成させるに至った。
【０００９】
すなわち、本発明の照明装置は、第１の光軸を中心軸とする照明光束を射出する第１のＬＤ光源と、第２の光軸を中心軸とする照明光束を射出する第２のＬＤ光源と、前記第１のＬＤ光源からの光を透過し前記第２のＬＤ光源から光を反射する偏光合成面を有し、前記第１のＬＤ光源からの光と前記第２のＬＤ光源からの光とを合成して射出する偏光ビームコンバイナとを備え、前記第１のＬＤ光源は、前記偏光合成面の法線と前記第１の光軸とを含む仮想平面に対して平行な方向に偏光軸を有する光を射出するように構成され、前記第２のＬＤ光源は、前記偏光合成面の法線と前記第２の光軸とを含む仮想平面に対して垂直な方向に偏光軸を有する光を射出するように構成されていることを特徴とする。
【００１０】
このため、本発明の照明装置によれば、第１のＬＤ光源及び第２のＬＤ光源から互いに異なる偏光軸を有する直線偏光を射出させ、これらの直線偏光を偏光ビームコンバイナにそれぞれ入射させることにより、偏光ビームコンバイナからは、２つのＬＤ光源（第１のＬＤ光源及び第２のＬＤ光源）からの照明光束が同じ角度をもって重畳された形で射出されるようになる。このため、２つのＬＤ光源のうちいずれのＬＤ光源の発光が弱まったとしても、被照明領域における面内光強度分布が不均一になることを抑制するとともに投写画像の品質が劣化することを抑制することが可能な照明装置を提供することが可能になる。
【００１１】
本発明の照明装置においては、前記偏光ビームコンバイナよりも光路後段に配置され、前記偏光ビームコンバイナからの照明光束をより均一な強度分布を有する光に変換するインテグレータ光学系をさらに備えることが好ましい。
【００１２】
このように構成することにより、被照明領域に照射される照明光束の面内光強度分布をより均一なものとすることが可能となる。
【００１３】
本発明の照明装置においては、前記インテグレータ光学系は、前記偏光ビームコンバイナからの照明光束を集束光に変換して射出する集光レンズと、前記集光レンズからの照明光束をより均一な強度分布を有する光に変換するインテグレータロッドとを有することが好ましい。
【００１４】
このように構成することにより、インテグレータロッドの内面における多重反射によって、被照明領域に照射される照明光束の面内光強度分布をより均一なものにすることが可能となる。
【００１５】
本発明の照明装置においては、前記インテグレータロッドは、中空のインテグレータロッドであってもよいし、中実のインテグレータロッドであってもよい。
【００１６】
中空のインテグレータロッドとしては、例えば４枚の反射ミラーにおける反射面を内側に向けて貼り合わせた筒状のライトトンネルなどを好適に用いることができる。また、中実のインテグレータロッドとしては、例えば内面全反射タイプの中実のロッド部材（ガラスロッド）などを好適に用いることができる。
【００１７】
本発明の照明装置においては、前記インテグレータ光学系は、前記偏光ビームコンバイナからの照明光束を複数の部分光束に分割する複数の第１小レンズを有する第１レンズアレイと、前記第１レンズアレイの各第１小レンズに対応する第２小レンズを有する第２レンズアレイと、前記第２レンズアレイからの光を被照明領域で重畳させる重畳レンズとを有することが好ましい。
【００１８】
このように構成することによっても、偏光ビームコンバイナからの光を複数の部分光束に分割した後で各部分光束を重畳レンズで重畳させることにより、被照明領域に照射される照明光束の面内光強度分布をより均一なものにすることが可能となる。
【００１９】
本発明の照明装置においては、前記インテグレータ光学系は、前記偏光ビームコンバイナからの照明光束をより均一な強度分布を有する光に変換する円錐プリズムを有することが好ましい。
【００２０】
このように構成することによっても、円錐プリズムの働きにより、偏光ビームコンバイナからの照明光束のうち比較的明るい中央部分（システム光軸に近い部分）の光と比較的暗い周辺部分（システム光軸から遠い部分）の光とをミキシングすることができるようになり、被照明領域に照射される照明光束の面内光強度分布をより均一なものにすることが可能となる（詳しくは、特開２００５−１２８５６３参照。）。
【００２１】
なお、この明細書において「円錐プリズム」とは、円錐形状のプリズムのみを意味するのではなく、円錐形状のプリズムにおける底面の周縁部分が平面状にカットされた形状を有する構造体も含む意味で用いている。
【００２２】
本発明の照明装置においては、前記インテグレータ光学系は、前記円錐プリズムの光射出側に配置され、前記円錐プリズムからの照明光束をさらに均一な強度分布を有する光に変換する導光部材をさらに有することが好ましい。
【００２３】
このように構成することにより、導光部材の内面における反射によって、被照明領域に照射される照明光束の面内光強度分布をさらに均一なものにすることが可能となる。
【００２４】
本発明の照明装置においては、前記導光部材は、中空の導光部材であってもよいし、中実の導光部材であってもよい。
【００２５】
中空の導光部材としては、例えば４枚の反射ミラーにおける反射面を内側に向けて貼り合わせた筒状のライトトンネルなどを好適に用いることができる。また、中実の導光部材としては、例えば内面全反射タイプの中実のロッド部材（ガラスロッド）などを好適に用いることができる。
【００２６】
本発明の照明装置においては、前記円錐プリズムの光射出面と前記導光部材の光入射面とは接着されていることが好ましい。
【００２７】
このように構成することにより、円錐プリズムと導光部材との間における望ましくない多重反射が抑制され、光利用効率が低下したり迷光レベルが上昇したりすることがなくなる。また、円錐プリズムと導光部材とを容易に一体化することができる。また、円錐プリズムと導光部材との間において、装置組み立て後における位置ずれの発生を未然に防止することができる。
【００２８】
この場合、円錐プリズム及び導光部材とほぼ同じ屈折率を有する接着剤を用いることが好ましい。
【００２９】
本発明の照明装置においては、前記円錐プリズムの光射出側に配置され、前記円錐プリズムからの光をさらに均一な強度分布を有する光に変換する光均一化光学素子をさらに備えることが好ましい。
【００３０】
このように構成することにより、光均一化光学素子の働きによって、被照明領域に照射される光の面内光強度分布をさらに均一なものとすることが可能となる。
【００３１】
ところで、円錐プリズム及び／又は導光部材によって所定の光均一化効果を得るようにした場合、円錐プリズム及び／又は導光部材の長さを比較的長くする必要がある。これに対し、本発明の照明装置によれば、光均一化光学素子による光均一化効果によって、円錐プリズム及び／又は導光部材の長さを比較的短くすることが可能となり、照明装置の小型化を図ることが可能となる。
【００３２】
本発明の照明装置においては、前記光均一化光学素子は、前記円錐プリズムから射出される光の面内光強度分布に応じて光透過率が調整された光透過率調整部材又は前記円錐プリズムから射出される光を拡散させる光拡散部材であることが好ましい。
【００３３】
光透過率調整部材としては、円錐プリズムから射出される光の面内光強度分布のパターンとは逆パターンの面内光透過率分布を有するＮＤフィルタやダイクロイックフィルタなどを好適に用いることができる。
光拡散部材としては、表面を光拡散面とした部材、光拡散機能を有する粒状体を表面又は内部に含む部材、フレネルレンズ又はマイクロプリズムアレイなどを好適に用いることができる。なお、マイクロプリズムアレイとは、表面にプリズム状物を複数配置したものであり、光拡散機能を有するものである。
【００３４】
本発明の照明装置においては、前記偏光ビームコンバイナは、プリズムタイプの偏光ビームコンバイナであり、前記偏光ビームコンバイナに配設され、前記偏光ビームコンバイナに対して超音波からなる音響波を供給することにより前記偏光ビームコンバイナに定在波を形成する音響波供給装置と、前記定在波の周期が６０Ｈｚ以上の周波数で変調されるように前記音響波供給装置を制御する制御装置とをさらに備えることが好ましい。
【００３５】
ＬＤ光源を用いた場合には、レーザ光は可干渉性を有するため、ＬＤ光源からの光が互いに干渉してスペックルノイズが発生してしまい、被照明領域においてスペックルノイズに起因した照度むらが発生する場合がある。
しかしながら、本発明の照明装置によれば、偏光ビームコンバイナに定在波を形成する音響波供給装置を備えているため、ＬＤ光源からの光が互いに干渉してスペックルノイズが発生したとしても、このようなスペックルノイズを人間の目に見えない速さで高速変調することで被照明領域におけるスペックルノイズに起因した照度むらを低減することが可能となる。
【００３６】
本発明の照明装置においては、前記音響波供給装置は、前記偏光ビームコンバイナに対して密着して配設されていることが好ましい。
【００３７】
このように構成することにより、偏光ビームコンバイナに音響波を効率的に供給することが可能となり、少ないエネルギーでかつ大きな効果をもって被照明領域におけるスペックルノイズに起因した照度むらを低減することが可能となる。
【００３８】
本発明の照明装置においては、前記音響波供給装置は、前記偏光ビームコンバイナの媒質の屈折率よりも小さな屈折率を有する超音波良伝達物質を介して前記偏光ビームコンバイナに配設されていることが好ましい。
【００３９】
このように構成することによっても、偏光ビームコンバイナに音響波を効率的に供給することが可能となり、少ないエネルギーでかつ大きな効果をもって被照明領域におけるスペックルノイズに起因した照度むらを低減することが可能となる。
また、超音波良伝達物質の屈折率が偏光ビームコンバイナの媒質の屈折率よりも小さいため、ＬＤ光源からの光が偏光ビームコンバイナと超音波良伝達物質との界面においても全反射され、光漏れをなくすことが可能となる。このため、迷光の発生を抑制することが可能となり、光利用効率を低下を抑制することが可能となる。
【００４０】
超音波良伝達物質としては、医療・美容分野等で用いられるジェルを好ましく例示することができる。なお、長期安定性を考慮すると、蒸気圧の小さな物質からなるジェルを用いることがより好ましい。
【００４１】
本発明のプロジェクタは、上記した本発明の照明装置と、前記照明装置からの光を画像情報に応じて変調する電気光学変調装置と、前記電気光学変調装置により変調された光を投写する投写光学系とを備えることを特徴とする。
【００４２】
このため、本発明のプロジェクタによれば、上記した優れた照明装置を備えているため、高輝度のプロジェクタであって、複数のＬＤ光源のうちいずれのＬＤ光源の発光が弱まったとしても、投写画像の品質が劣化することを抑制することが可能なプロジェクタとなる。
【００４３】
本発明のプロジェクタにおいては、前記照明装置として、複数の色光を射出する複数の照明装置を備え、前記複数の照明装置と前記電気光学変調装置との間に配置され、前記複数の照明装置から射出される複数の色光の光路を合成して前記電気光学変調装置に向けて射出するクロスダイクロイックプリズムをさらに備えることが好ましい。
【００４４】
本発明のプロジェクタにおいては、前記照明装置として、複数の色光を射出する複数の照明装置を備え、前記電気光学変調装置として、前記複数の照明装置からの光を画像情報に応じてそれぞれ変調する複数の電気光学変調装置を備え、前記複数の電気光学変調装置から射出される複数の色光を合成するクロスダイクロイックプリズムをさらに備えることが好ましい。
【００４５】
上記のように構成することにより、高輝度のプロジェクタであって、複数のＬＤ光源のうちいずれのＬＤ光源の発光が弱まったとしても、投写画像の品質が劣化することを抑制することが可能であり、さらに、画像品質の優れた（例えば３板式の）フルカラープロジェクタとすることが可能となる。
【発明を実施するための最良の形態】
【００４６】
以下、本発明の照明装置及びプロジェクタについて、図に示す実施の形態に基づいて説明する。
【００４７】
［実施形態１］
図１は、実施形態１に係る照明装置１００及びプロジェクタ１０００の光学系を示す図である。図２は、照明装置１００における第１のＬＤ光源１０及び第２のＬＤ光源２０から射出される照明光束が偏光分離及び合成される様子を模式的に示す図である。
【００４８】
なお、以下の説明においては、互いに直交する３つの方向をそれぞれｚ軸方向（図１におけるシステム光軸ＯＣ方向）、ｘ軸方向（図１における紙面に平行かつｚ軸に直交する方向）及びｙ軸方向（図１における紙面に垂直かつｚ軸に直交する方向）とする。
【００４９】
実施形態１に係るプロジェクタ１０００は、図１に示すように、照明装置１００と、照明装置１００からの光を被照明領域に導光するリレー光学系３１０と、リレー光学系３１０からの光を画像情報に応じて変調する電気光学変調装置としてのマイクロミラー型光変調装置４００と、マイクロミラー型光変調装置４００によって変調された光をスクリーンＳＣＲ等の投写面に投写する投写光学系６００とを備えたプロジェクタである。
【００５０】
実施形態１に係る照明装置１００は、図１及び図２に示すように、第１の光軸１０ａｘを中心軸とする照明光束を射出する第１のＬＤ光源１０と、第２の光軸２０ａｘを中心軸とする照明光束を射出する第２のＬＤ光源２０と、第１のＬＤ光源１０及び第２のＬＤ光源２０からの光を偏光ビームコンバイナ３０に向けてそれぞれ射出する凸レンズ１６，２６と、第１のＬＤ光源１０からの光と第２のＬＤ光源２０からの光とを合成して射出する偏光ビームコンバイナ３０と、偏光ビームコンバイナ３０に配設される音響波供給装置４０と、音響波供給装置４０を制御する制御装置（図示せず。）と、偏光ビームコンバイナ３０の光射出側に配置されるインテグレータ光学系７００とを有する。
【００５１】
第１のＬＤ光源１０は、赤色光を射出する発光部１２ｒと、緑色光を射出する発光部１２ｇと、青色光を射出する発光部１２ｂと、ＬＤ基板１４と、放熱部（図示せず。）とを有する。第１のＬＤ光源１０は、後述する偏光合成面３２の法線と第１の光軸１０ａｘとを含む仮想平面に対して平行な方向に偏光軸を有する光（以下、Ｐ偏光成分に係る光という。）を射出するように構成されている。
【００５２】
第２のＬＤ光源２０は、赤色光を射出する発光部２２ｒと、緑色光を射出する発光部２２ｇと、青色光を射出する発光部２２ｂと、ＬＤ基板２４と、放熱部（図示せず。）とを有する。第２のＬＤ光源２０は、後述する偏光合成面３２の法線と第２の光軸２０ａｘとを含む仮想平面に対して垂直な方向に偏光軸を有する光（以下、Ｓ偏光成分に係る光という。）を射出するように構成されている。
【００５３】
なお、第１のＬＤ光源１０及び第２のＬＤ光源２０は、図示しない時分割駆動回路に接続されており、時分割駆動回路によってマイクロミラー型光変調装置４００に表示する画像における例えば１フレーム又は１フィールドの周期で発光部１２ｒ，１２ｇ，１２ｂ，２２ｒ，２２ｇ，２２ｂを時分割駆動している。
【００５４】
凸レンズ１６，２６は、例えば非球面レンズからなり、第１のＬＤ光源１０及び第２のＬＤ光源２０からの光を略平行光に変換して射出する機能を有する。
【００５５】
偏光ビームコンバイナ３０は、第１の光入射面３４を有する三角柱プリズムと第２の光入射面３６を有する三角柱プリズムとを貼り合わせた平面視略正方形状をなし、三角柱プリズム同士を貼り合わせた界面には、Ｐ偏光成分に係る光を透過しＳ偏光成分に係る光を反射する偏光合成面３２が形成されている。第１のＬＤ光源１０から射出されるＰ偏光成分に係る光は、偏光合成面３２を透過する。第２のＬＤ光源２０から射出されるＳ偏光成分に係る光は、偏光合成面３２で反射される。これにより、第１のＬＤ光源１０から射出されるＰ偏光成分に係る光と第２のＬＤ光源２０から射出されるＳ偏光成分に係る光とが合成されて、偏光ビームコンバイナ３０からインテグレータ光学系７００に向けて射出されることとなる。
【００５６】
このような偏光ビームコンバイナ３０は、偏光ビームスプリッタと同様の構成を備えるものであるが、光の通過方向が偏光ビームスプリッタとは逆になっており、互いに偏光方向が垂直である２種類の直線偏光を合成し、見かけ上無偏光の光を射出する。
【００５７】
音響波供給装置４０は、超音波良伝達物質としてのジェルｇを介して偏光ビームコンバイナ３０の側面に配設されている。そして、偏光ビームコンバイナ３０に対して超音波からなる音響波を供給することにより偏光ビームコンバイナ３０に定在波を形成する。
【００５８】
ジェルｇとしては、偏光ビームコンバイナ３０の媒質の屈折率よりも小さい屈折率を有するものを用いている。
また、ジェルｇとしては、医療・美容分野等で用いられるジェルを好ましく例示することができる。なお、長期安定性を考慮すると、蒸気圧の小さな物質からなるジェルを用いることがより好ましい。
【００５９】
制御装置（図示せず。）は、定在波の周期が６０Ｈｚ以上の周波数で変調されるように音響波供給装置４０を制御して、音響波供給装置４０から供給される超音波の周波数を６０Ｈｚ以上の周波数で変調する。その結果、例えば、発振周波数が２０万Ｈｚである超音波を３００Ｈｚの変調周波数で変調することにより、１５万Ｈｚ〜２５万Ｈｚの範囲で高速変調された超音波からなる音響波を偏光ビームコンバイナ３０に対して供給することが可能となる。なお、当該発振周波数及び当該変調周波数の値は、所定範囲内から適宜選択することが可能である。
【００６０】
インテグレータ光学系７００は、偏光ビームコンバイナ３０からの照明光束をより均一な強度分布を有する光に変換する円錐プリズム７１０と、円錐プリズム７１０の光射出側に配置される導光部材７１２とを有する。
【００６１】
円錐プリズム７１０は、偏光ビームコンバイナ３０からの照明光束を光入射面で屈折させることにより、偏光ビームコンバイナ３０からの照明光束のうち比較的明るい中央部分（システム光軸ＯＣに近い部分）の光と比較的暗い周辺部分（システム光軸ＯＣから遠い部分）の光とをミキシングして、より均一な面内光強度分布を有する光に変換して射出する機能（光均一化機能）を有する光学部材である。
円錐プリズム７１０は、底面の周縁部分が平面状にカットされた形状を有する。なお、「底面の周縁部分が平面状にカットされた形状」とは、円錐プリズム７１０における側面及び底面の一部が平面状にカットされた形状のことを意味している。
【００６２】
導光部材７１２は、円錐プリズム７１０からの照明光束を内面で反射させることにより、円錐プリズム７１０からの照明光束をさらに均一な強度分布を有する光に変換する機能を有する光学部材である。導光部材７１２としては、例えば、内面が反射面からなる筒状のライトトンネルなどを好適に用いることができる。
【００６３】
リレー光学系３１０は、リレーレンズ３１２と、反射ミラー３１４と、集光レンズ３１６とを有し、照明装置１００からの照明光束をマイクロミラー型光変調装置４００の画像形成領域に導く機能を有している。
【００６４】
リレーレンズ３１２は、集光レンズ３１６とともに、照明装置１００からの照明光束を発散させずにマイクロミラー型光変調装置４００の画像形成領域近傍に結像させる機能を有している。なお、リレーレンズ３１２は、複数のレンズを組み合わせた複合レンズで構成されていてもよい。
【００６５】
反射ミラー３１４は、照明装置１００のシステム光軸ＯＣに対して傾斜して配置され、リレーレンズ３１２からの照明光束を曲折し、マイクロミラー型光変調装置４００へと導光する。これにより、プロジェクタをコンパクトにすることができる。
【００６６】
集光レンズ３１６は、リレーレンズ３１２及び反射ミラー３１４からの照明光束をマイクロミラー型光変調装置４００の画像形成領域にほぼ重畳させ、かつ、マイクロミラー型光変調装置４００によって変調された光を投写光学系６００とともに拡大投写するものである。
【００６７】
マイクロミラー型光変調装置４００は、リレー光学系３１０からの光を画像情報に応じて各画素に対応するマイクロミラーで反射することにより、画像を表す画像光を投写光学系６００へと射出する機能を有する反射方向制御型光変調装置である。マイクロミラー型光変調装置４００としては、例えば、ＤＭＤ（デジタルマイクロミラーデバイス）（ＴＩ社の商標）を用いることができる。
【００６８】
マイクロミラー型光変調装置４００から射出される画像光は、投写光学系６００によって拡大投写され、スクリーンＳＣＲ上で大画面画像を形成する。
【００６９】
マイクロミラー型光変調装置４００と投写光学系６００とは、それぞれの中心軸が一致するように配置されている。なお、実施形態１に係るプロジェクタ１０００をあおり投写の構成を有するプロジェクタとする場合には、マイクロミラー型光変調装置４００の中心軸に対して投写光学系６００の投写光軸６００ａｘがあおり方向にずれるように構成することが好ましい。
【００７０】
以上のように構成された実施形態１に係る照明装置１００によれば、第１のＬＤ光源１０及び第２のＬＤ光源２０から互いに異なる偏光軸を有する直線偏光を射出させ、これらの直線偏光を偏光ビームコンバイナ３０にそれぞれ入射させることにより、偏光ビームコンバイナ３０からは、第１のＬＤ光源１０及び第２のＬＤ光源２０からの照明光束が同じ角度をもって重畳された形で射出されるようになる。このため、第１のＬＤ光源１０及び第２のＬＤ光源２０のうちいずれのＬＤ光源の発光が弱まったとしても、被照明領域における面内光強度分布が不均一になることを抑制するとともに投写画像の品質が劣化することを抑制することが可能な照明装置を提供することが可能になる。
【００７１】
実施形態１に係る照明装置においては、インテグレータ光学系７００は、偏光ビームコンバイナ３０からの照明光束をより均一な強度分布を有する光に変換する円錐プリズム７１０を有するため、円錐プリズム７１０の働きにより、偏光ビームコンバイナ３０からの照明光束のうち比較的明るい中央部分（システム光軸ＯＣに近い部分）の光と比較的暗い周辺部分（システム光軸ＯＣから遠い部分）の光とをミキシングすることができるようになり、被照明領域に照射される照明光束の面内光強度分布をより均一なものにすることが可能となる。
【００７２】
実施形態１に係る照明装置１００においては、インテグレータ光学系７００は、円錐プリズム７１０の光射出側に配置される導光部材７１２をさらに有するため、導光部材７１２の内面における反射によって、被照明領域に照射される照明光束の面内光強度分布をさらに均一なものにすることが可能となる。
【００７３】
実施形態１に係る照明装置１００においては、偏光ビームコンバイナ３０は、プリズムタイプの偏光ビームコンバイナであり、偏光ビームコンバイナ３０に定在波を形成する音響波供給装置４０と、定在波の周期が６０Ｈｚ以上の周波数で変調されるように音響波供給装置４０を制御する制御装置とをさらに備えるため、例えば時刻Ｔ１において第１のＬＤ光源１０における各発光部１２ｒ，１２ｇ，１２ｂや第２のＬＤ光源２０における各発光部２２ｒ，２２ｇ，２２ｂからの光が互いに干渉して被照明領域にスペックルノイズが発生したとしても、時刻Ｔ２（時刻Ｔ１から所定時間経過した時刻）においては時刻Ｔ１のときとは異なる干渉パターンのスペックルノイズが発生するため、所定時間で平均化してみればスペックルノイズが目立たなくなる。すなわち、被照明領域にスペックルノイズが発生したとしても、このようなスペックルノイズを人間の目に見えない速さで高速変調することで被照明領域におけるスペックルノイズに起因した照度むらを低減することが可能となる。
【００７４】
実施形態１に係る照明装置１００においては、音響波供給装置４０は、ジェルｇを介して偏光ビームコンバイナ３０に配設されているため、偏光ビームコンバイナ３０に音響波を効率的に供給することが可能となり、少ないエネルギーでかつ大きな効果をもって被照明領域におけるスペックルノイズに起因した照度むらを低減することが可能となる。
また、ジェルｇの屈折率が偏光ビームコンバイナ３０の媒質の屈折率よりも小さいため、第１のＬＤ光源１０（凸レンズ１６）からの光が偏光ビームコンバイナと超音波良伝達物質との界面においても全反射され、光漏れをなくすことが可能となる。このため、迷光の発生を抑制することが可能となり、光利用効率の低下を抑制することが可能となる。
【００７５】
実施形態１に係るプロジェクタ１０００は、上記した優れた照明装置１００を備えているため、高輝度のプロジェクタであって、第１のＬＤ光源１０及び第２のＬＤ光源２０のうちいずれのＬＤ光源の発光が弱まったとしても、投写画像の品質が劣化することを抑制することが可能なプロジェクタとなる。
【００７６】
［実施形態２］
図３は、実施形態２に係るプロジェクタ１００２の光学系を示す図である。なお、図３において、図１と同一の部材については同一の符号を付し、詳細な説明は省略する。
【００７７】
実施形態２に係るプロジェクタ１００２は、図３に示すように、インテグレータ光学系の構成が実施形態１に係るプロジェクタ１０００とは異なっている。
【００７８】
すなわち、実施形態２に係るプロジェクタ１００２においては、実施形態１で説明した円錐プリズム７１０を有するインテグレータ光学系７００に代えて、インテグレータロッド７２２を有するインテグレータ光学系７０２を用いている。
【００７９】
インテグレータ光学系７０２は、図３に示すように、偏光ビームコンバイナ３０からの照明光束を集束光に変換して射出する集光レンズ７２０と、集光レンズ７２０からの照明光束をより均一な強度分布を有する光に変換するインテグレータロッド７２２とを有する。
【００８０】
インテグレータロッド７２２は、集光レンズ７２０からの光を内面で多重反射させることにより、集光レンズ７２０からの光をより均一な強度分布を有する光に変換する機能を有する光学部材である。インテグレータロッド７２２は内面全反射タイプの中実のガラスロッドであるが、これに替えて、４枚の反射ミラーにおける反射面を内側に向けて貼り合わせた筒状のライトトンネルなどを用いてもよい。
【００８１】
このように、実施形態２に係るプロジェクタ１００２は、実施形態１に係るプロジェクタ１０００とは、インテグレータ光学系の構成が異なるが、実施形態１に係る照明装置１００と同様の構成を有する照明装置１０２を備えているため、実施形態１に係るプロジェクタ１０００の場合と同様に、高輝度のプロジェクタであって、第１のＬＤ光源１０及び第２のＬＤ光源２０のうちいずれのＬＤ光源の発光が弱まったとしても、投写画像の品質が劣化することを抑制することが可能なプロジェクタとなる。
【００８２】
［実施形態３］
図４は、実施形態３に係るプロジェクタ１００４の光学系を示す図である。なお、図４において、図１と同一の部材については同一の符号を付し、詳細な説明は省略する。
【００８３】
実施形態３に係るプロジェクタ１００４は、図４に示すように、インテグレータ光学系の構成及び電気光学変調装置の種類が、実施形態１に係るプロジェクタ１０００とは異なっている。
【００８４】
すなわち、実施形態３に係るプロジェクタ１００４においては、実施形態１で説明した円錐プリズム７１０を有するインテグレータ光学系７００に代えて、レンズアレイからなるインテグレータ光学系７０４を用いている。
また、実施形態３に係るプロジェクタ１００４においては、実施形態１で説明したマイクロミラー型光変調装置４００に代えて、３つの液晶装置４０２Ｒ，４０２Ｇ，４０２Ｂを用いている。なお、電気光学変調装置をマイクロミラー型光変調装置４００から３つの液晶装置４０２Ｒ，４０２Ｇ，４０２Ｂに代えたことにともない、照明装置１０４からの光を赤色光、緑色光及び青色光の３つの色光に分離して被照明領域に導光する色分離導光光学系２００と、液晶装置４０２Ｒ，４０２Ｇ，４０２Ｂによって変調された色光を合成するクロスダイクロイックプリズム５００とをさらに備えている。
【００８５】
インテグレータ光学系７０４は、偏光ビームコンバイナ３０からの照明光束を複数の部分光束に分割する複数の第１小レンズ７３１を有する第１レンズアレイ７３０と、第１レンズアレイ７３０の各第１小レンズ７３１に対応する第２小レンズ７３３を有する第２レンズアレイ７３２と、第２レンズアレイ７３２からの光を被照明領域で重畳させる重畳レンズ７３６とを有する。第２レンズアレイ７３２と重畳レンズ７３６との間には、第２レンズアレイ７３２からの照明光束を略１種類の直線偏光成分を有する光束に変換する偏光変換素子７３４が配置されている。
【００８６】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、重畳レンズ７３６から射出される照明光束を、赤色光、緑色光及び青色光の３つの色光に分離して、それぞれの色光を照明対象となる３つの液晶装置４０２Ｒ，４０２Ｇ，４０２Ｂに導く機能を有している。
【００８７】
液晶装置４０２Ｒ，４０２Ｇ，４０２Ｂの光路前段には、重畳レンズ７３６からの各部分光束を各主光線に対して略平行な光束に変換する集光レンズ３００Ｒ，３００Ｇ，３００Ｂが配置されている。
【００８８】
液晶装置４０２Ｒ，４０２Ｇ，４０２Ｂは、画像情報に応じて照明光束を変調するものであり、照明装置１０４の照明対象となる。
液晶装置４０２Ｒ，４０２Ｇ，４０２Ｂは、一対の透明なガラス基板に電気光学物質である液晶を密閉封入したものであり、例えば、ポリシリコンＴＦＴをスイッチング素子として、与えられた画像情報に従って、入射側偏光板から射出された１種類の直線偏光の偏光方向を変調する。
【００８９】
また、ここでは図示を省略したが、集光レンズ３００Ｒ，３００Ｇ，３００Ｂと各液晶装置４０２Ｒ，４０２Ｇ，４０２Ｂとの間には、それぞれ入射側偏光板が介在配置され、各液晶装置４０２Ｒ，４０２Ｇ，４０２Ｂとクロスダイクロイックプリズム５００との間には、それぞれ射出側偏光板が介在配置されている。これら入射側偏光板、液晶装置４０２Ｒ，４０２Ｇ，４０２Ｂ及び射出側偏光板によって入射する各色光の光変調が行われる。
【００９０】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００９１】
クロスダイクロイックプリズム５００から射出されたカラー画像は、投写光学系６１０によって拡大投写され、スクリーンＳＣＲ上で大画面画像を形成する。
【００９２】
このように、実施形態３に係るプロジェクタ１００４は、実施形態１に係るプロジェクタ１０００とは、インテグレータ光学系の構成及び電気光学変調装置の種類が異なるが、実施形態１に係る照明装置１００と同様の構成を有する照明装置１０４を備えているため、実施形態１に係るプロジェクタ１０００の場合と同様に、高輝度のプロジェクタであって、第１のＬＤ光源１０及び第２のＬＤ光源２０のうちいずれのＬＤ光源の発光が弱まったとしても、投写画像の品質が劣化することを抑制することが可能なプロジェクタとなる。
【００９３】
［実施形態４］
図５は、実施形態４に係るプロジェクタ１００６の光学系を示す図である。なお、図５において、図４と同一の部材については同一の符号を付し、詳細な説明は省略する。
【００９４】
実施形態４に係るプロジェクタ１００６は、図５に示すように、照明装置としてそれぞれが異なる色光を射出する３つの照明装置を備える点及び色分離導光光学系を備えていない点で、実施形態３に係るプロジェクタ１００４とは異なっている。
【００９５】
実施形態４に係るプロジェクタ１００６は、図５に示すように、照明装置として、赤色光を射出する照明装置１０６Ｒと、緑色光を射出する照明装置１０６Ｇと、青色光を射出する照明装置１０６Ｂとを備えている。
【００９６】
赤色光用の照明装置１０６Ｒは、赤色光を射出する第１のＬＤ光源５０Ｒ及び第２のＬＤ光源６０Ｒを有する。第１のＬＤ光源５０Ｒは、赤色光を射出する発光部５２ｒを有し、Ｐ偏光成分に係る光を射出するように構成されている。第２のＬＤ光源６０Ｒは、赤色光を射出する発光部６２ｒを有し、Ｓ偏光成分に係る光を射出するように構成されている。そして、偏光ビームコンバイナ７０Ｒによって、第１のＬＤ光源５０Ｒから射出されるＰ偏光成分に係る光と第２のＬＤ光源６０Ｒから射出されるＳ偏光成分に係る光とが合成されて、液晶装置４０２Ｒに向けて射出されることとなる。
【００９７】
緑色光用の照明装置１０６Ｇは、緑色光を射出する第１のＬＤ光源５０Ｇ及び第２のＬＤ光源６０Ｇを有する。第１のＬＤ光源５０Ｇは、緑色光を射出する発光部５２ｇを有し、Ｐ偏光成分に係る光を射出するように構成されている。第２のＬＤ光源６０Ｇは、緑色光を射出する発光部６２ｇを有し、Ｓ偏光成分に係る光を射出するように構成されている。そして、偏光ビームコンバイナ７０Ｇによって、第１のＬＤ光源５０Ｇから射出されるＰ偏光成分に係る光と第２のＬＤ光源６０Ｇから射出されるＳ偏光成分に係る光とが合成されて、液晶装置４０２Ｇに向けて射出されることとなる。
【００９８】
青色光用の照明装置１０６Ｂは、青色光を射出する第１のＬＤ光源５０Ｂ及び第２のＬＤ光源６０Ｂを有する。第１のＬＤ光源５０Ｂは、青色光を射出する発光部５２ｂを有し、Ｐ偏光成分に係る光を射出するように構成されている。第２のＬＤ光源６０Ｂは、青色光を射出する発光部６２ｂを有し、Ｓ偏光成分に係る光を射出するように構成されている。そして、偏光ビームコンバイナ７０Ｂによって、第１のＬＤ光源５０Ｂから射出されるＰ偏光成分に係る光と第２のＬＤ光源６０Ｂから射出されるＳ偏光成分に係る光とが合成されて、液晶装置４０２Ｂに向けて射出されることとなる。
【００９９】
これら３つの照明装置１０６Ｒ，１０６Ｇ，１０６Ｂが、３つの液晶装置４０２Ｒ，４０２Ｇ，４０２Ｂの前段にそれぞれ配置されている。
【０１００】
なお、照明装置１０６Ｒ，１０６Ｇ，１０６Ｂにおけるその他の構成（凸レンズ５６Ｒ，５６Ｇ，５６Ｂ，６６Ｒ，６６Ｇ，６６Ｂや音響波供給装置８０Ｒ，８０Ｇ，８０Ｂなど）については、実施形態１で説明したものとほぼ同じであるため、詳細な説明は省略する。
【０１０１】
このように、実施形態４に係るプロジェクタ１００６は、実施形態３に係るプロジェクタ１００４とは、照明装置としてそれぞれが異なる色光を射出する３つの照明装置を備える点及び色分離導光光学系を備えていない点で異なるが、実施形態１及び３に係る照明装置１００，１０４と同様の構成を有する照明装置１０６Ｒ，１０６Ｇ，１０６Ｂを備えているため、実施形態３に係るプロジェクタ１００４の場合と同様に、高輝度のプロジェクタであって、複数のＬＤ光源のうちいずれのＬＤ光源の発光が弱まったとしても、投写画像の品質が劣化することを抑制することが可能なプロジェクタとなる。
【０１０２】
［実施形態５］
図６は、実施形態５に係るプロジェクタ１００８の光学系を示す図である。なお、図６において、図１及び図５と同一の部材については同一の符号を付し、詳細な説明は省略する。
【０１０３】
実施形態５に係るプロジェクタ１００８は、図６に示すように、照明装置としてそれぞれが異なる色光を射出する３つの照明装置を備える点及びクロスダイクロイックプリズムをさらに備える点で、実施形態１に係るプロジェクタ１０００とは異なっている。
【０１０４】
実施形態５に係るプロジェクタ１００８は、図６に示すように、照明装置として、赤色光を射出する照明装置１０６Ｒと、緑色光を射出する照明装置１０６Ｇと、青色光を射出する照明装置１０６Ｂとを備えている。
【０１０５】
なお、照明装置１０６Ｒ，１０６Ｇ，１０６Ｂの構成については、実施形態４で説明したものと同様であるため、詳細な説明は省略する。
【０１０６】
クロスダイクロイックプリズム５１０は、照明装置１０６Ｒ，１０６Ｇ，１０６Ｂから射出される各色光の光路を合成してインテグレータ光学系７０６に向けて射出する。
なお、クロスダイクロイックプリズム５１０の構成については、実施形態３で説明したものと同様であるため、詳細な説明は省略する。インテグレータ光学系７０６は、実施形態１に係る照明装置１００のインテグレータ光学系７００と同じ構成を有するものであるため、詳細な説明は省略する。
【０１０７】
このように、実施形態５に係るプロジェクタ１００８は、実施形態１に係るプロジェクタ１０００とは、照明装置としてそれぞれが異なる色光を射出する３つの照明装置を備える点及びクロスダイクロイックプリズムをさらに備える点で異なるが、実施形態１に係る照明装置１００と同様の構成を有する照明装置１０６Ｒ，１０６Ｇ，１０６Ｂを備えているため、実施形態１に係るプロジェクタ１０００の場合と同様に、高輝度のプロジェクタであって、複数のＬＤ光源のうちいずれのＬＤ光源の発光が弱まったとしても、投写画像の品質が劣化することを抑制することが可能なプロジェクタとなる。
【０１０８】
以上、本発明の照明装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１０９】
（１）上記各実施形態の照明装置１００，１０２，１０４，１０６Ｒ，１０６Ｇ，１０６Ｂにおいては、偏光ビームコンバイナとして、２つの三角柱プリズムが貼り合わされたプリズムタイプの偏光ビームコンバイナを用いたが、本発明はこれに限定されるものではなく、プレートタイプの偏光ビームコンバイナをも好ましく用いることができる。プレートタイプの偏光ビームコンバイナとしては、透光性の基板に偏光分離膜を設けた構成のものなどを適宜採用することができる。なお、プレートタイプの偏光ビームコンバイナを用いた場合には、偏光ビームコンバイナにおける有効入射領域外の位置に音響波供給装置を配設したり、偏光ビームコンバイナ以外の光学要素（例えば、偏光ビームコンバイナよりも後段に配置される円錐プリズムなど）に配設したりすることが好ましい。
【０１１０】
（２）上記各実施形態の照明装置１００，１０２，１０４，１０６Ｒ，１０６Ｇ，１０６Ｂにおいては、音響波供給装置は、ジェルｇを介して導光部材に配設されているが、本発明はこれに限定されるものではなく、偏光ビームコンバイナに対して密着して配設されていることも好ましい。また、上記各実施形態の照明装置１００，１０２，１０４，１０６Ｒ，１０６Ｇ，１０６Ｂにおいては、音響波供給装置は偏光ビームコンバイナの側面（光入射面でも光射出面でもない面）に配設されているが、本発明はこれに限定されるものではなく、偏光ビームコンバイナの上面又は底面に配設されていてもよい。さらにまた、上記各実施形態の照明装置１００，１０２，１０４，１０６Ｒ，１０６Ｇ，１０６Ｂにおいては、１つの偏光ビームコンバイナに対して１つの音響波供給装置が配設されているが、本発明はこれに限定されるものではなく、１つの偏光ビームコンバイナに対して複数の音響波供給装置が配設されていてもよい。
【０１１１】
（３）上記実施形態３に係る照明装置１０４においては、インテグレータロッド７２２に代えて、偏光変換機能をさらに有する偏光変換ロッドを用いてもよい。偏光変換ロッドとしては、例えば、インテグレータロッドの光射出面にλ／４板及び反射型偏光板が配置されたものや、インテグレータロッドの光入射側に偏光変換素子が配設されたものなど、公知の偏光変換ロッドを用いることができる。このような偏光変換ロッドを用いた照明装置は、液晶装置のように偏光方向を制御する電気光学変調装置を用いたプロジェクタにおいて特に好適なものとなる。
【０１１２】
（４）上記実施形態５に係るプロジェクタ１００８においては、各照明装置１０６Ｒ，１０６Ｇ，１０６Ｂにおける偏光ビームコンバイナ７０Ｒ，７０Ｇ，７０Ｂとクロスダイクロイックプリズム５１０とが離隔して配置されている場合を例示して説明したが、本発明はこれに限定されるものではなく、偏光ビームコンバイナ７０Ｒ，７０Ｇ，７０Ｂとクロスダイクロイックプリズム５１０とが接着層を介して接着されていてもよい。
【０１１３】
（５）上記実施形態１及び５に係るプロジェクタ１０００，１００８においては、円錐プリズム及び導光部材を有するインテグレータ光学系７００，７０６を例示して説明したが、本発明はこれに限定されるものではなく、導光部材に代えて光均一化光学素子を有するインテグレータ光学系や、円錐プリズム及び導光部材に加えて光均一化光学素子をさらに有するインテグレータ光学系を用いてもよい。
【０１１４】
（６）上記実施形態３及び４に係るプロジェクタ１００４，１００６は透過型のプロジェクタであるが、本発明はこれに限定されるものではなく、反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置のように光変調手段としての電気光学変調装置が光を反射するタイプであることを意味している。反射型のプロジェクタにこの発明を適用した場合にも、透過型のプロジェクタと同様の効果を得ることができる。
【０１１５】
（７）上記実施形態３及び４に係るプロジェクタ１００４，１００６においては、３つの液晶装置を用いたプロジェクタを例示して説明したが、本発明はこれに限定されるものではなく、１つ、２つ又は４つ以上の液晶装置を用いたプロジェクタにも適用可能である。
【０１１６】
（８）上記実施形態１、２及び５に係るプロジェクタ１０００，１００２，１００８においては、１つのマイクロミラー型光変調装置を用いたプロジェクタを例示して説明したが、本発明はこれに限定されるものではなく、複数のマイクロミラー型光変調装置を用いたプロジェクタにも適用可能である。
【０１１７】
（９）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１１８】
【図１】実施形態１に係る照明装置１００及びプロジェクタ１０００の光学系を示す図。
【図２】照明装置１００における第１のＬＤ光源１０及び第２のＬＤ光源２０から射出される照明光束が偏光分離及び合成される様子を模式的に示す図。
【図３】実施形態２に係るプロジェクタ１００２の光学系を示す図。
【図４】実施形態３に係るプロジェクタ１００４の光学系を示す図。
【図５】実施形態４に係るプロジェクタ１００６の光学系を示す図。
【図６】実施形態５に係るプロジェクタ１００８の光学系を示す図。
【符号の説明】
【０１１９】
１０，２０，５０Ｒ，５０Ｇ，５０Ｂ，６０Ｒ，６０Ｇ，６０Ｂ…ＬＤ光源、１２ｒ，１２ｇ，１２ｂ，２２ｒ，２２ｇ，２２ｂ，５２ｒ，５２ｇ，５２ｂ，６２ｒ，６２ｇ，６２ｂ…発光部、１４，２４，５４Ｒ，５４Ｇ，５４Ｂ，６４Ｒ，６４Ｇ，６４Ｂ…ＬＤ基板、１６，２６，５６Ｒ，５６Ｇ，５６Ｂ，６６Ｒ，６６Ｇ，６６Ｂ…凸レンズ、３０，７０Ｒ，７０Ｇ，７０Ｂ…偏光ビームコンバイナ、３２…偏光合成面、３４…（偏光ビームコンバイナの）光入射面、３６…（偏光ビームコンバイナの）光射出面、４０，８０Ｒ，８０Ｇ，８０Ｂ…音響波供給装置、１００，１０２，１０４，１０６Ｒ，１０６Ｇ，１０６Ｂ…照明装置、２００…色分離導光光学系、２１０，２２０…ダイクロイックミラー、２３０，２４０，２５０，３１４…反射ミラー、２６０…入射側レンズ、２７０，３１２…リレーレンズ、３００Ｒ，３００Ｇ，３００Ｂ，３１６，７２０…集光レンズ、３１０…リレー光学系、４００…マイクロミラー型光変調装置、４０２Ｒ，４０２Ｇ，４０２Ｂ…液晶装置、５００，５１０…クロスダイクロイックプリズム、６００，６１０…投写光学系、６００ａｘ…投写光軸、７００，７０２，７０４，７０６…インテグレータ光学系、７１０，７４０…円錐プリズム、７１２，７４２…導光部材、７２２…インテグレータロッド、７３０…第１レンズアレイ、７３１…第１小レンズ、７３２…第２レンズアレイ、７３３…第２小レンズ、７３４…偏光変換素子、７３６…重畳レンズ、１０００，１００２，１００４，１００６，１００８…プロジェクタ、ｇ…ジェル、ＯＣ…システム光軸、ＳＣＲ…スクリーン
【図１】
2008003125.tif 000003
【図２】
2008003125.tif 000004
【図３】
2008003125.tif 000005
【図４】
2008003125.tif 000006
【図５】
2008003125.tif 000007
【図６】
2008003125.tif 000008